(57)【要約】【課題】  コードのショート事故を防ぐこと。【解決手段】  多数のワイヤ１４ａからなる一対の導線１４を絶縁材１５で被覆したコード４と、一対の円形状端子挿通孔１６を所定間隔Ｌをおいて貫設した電子部品付き基板３とを有し、前記コード４の絶縁材１５から露出する両導線１４の端子１４Ａを前記各端子挿通孔１６にそれぞれ挿通し、該各端子１４Ａを基板３の裏面のランド１７に半田付け１８するようにしたコード接続装置であって、前記基板３の両端子挿通孔１６間に該両端子挿通孔１６を分断するようにスリット２２が形成され、前記各端子挿通孔１６の表面側周縁をその全周にわたって斜めに削除するか斜めに押圧変形させてテーパ面状面取り部２３が形成されている。【選択図】        図１
2007317426.tif 000002
【特許請求の範囲】
【請求項１】
筐体内にＤＶＤ機器と、該ＤＶＤ機器を制御するための電子機器を搭載した基板と、該
基板上の電子機器に通電するためのコードとを有し、該コードが多数のワイヤからなる一
対の導線を絶縁材で被覆したものからなり、前記基板に一対の円形状端子挿通孔が所定間
隔をおいて貫設されており、前記コードの絶縁材から露出する両導線の端子を前記各端子
挿通孔にそれぞれ挿通し、該各端子を基板の裏面のランドに半田付けするようにしたコー
ド接続装置であって、前記基板の両端子挿通孔間に該両端子挿通孔を分断するようにスリ
ットが形成され、前記筐体の底板部に一体突設した仕切板が基板の裏面側からスリットを
通って該基板の表面よりも上方に突出され、前記各端子挿通孔の内側面の互いに対向する
部分に凹溝を貫設することにより、その凹溝によって各端子挿通孔の表面側周縁に凹状面
取り部が形成されていることを特徴とするコード接続装置。
【請求項２】
多数のワイヤからなる一対の導線を絶縁材で被覆したコードと、一対の円形状端子挿通
孔を所定間隔をおいて貫設した基板とを有し、前記コードの絶縁材から露出する両導線の
端子を前記各端子挿通孔にそれぞれ挿通し、該各端子を基板の裏面のランドに半田付けす
るようにしたコード接続装置であって、前記基板の両端子挿通孔間に該両端子挿通孔を分
断するようにスリットが形成され、前記各端子挿通孔の表面側周縁に面取り部が形成され
ていることを特徴とするコード接続装置。
【請求項３】
前記面取り部が、各端子挿通孔の表面側周縁をその全周にわたって斜めに削除するか斜
めに押圧変形させてテーパ面状に形成されていることを特徴とする請求項２に記載のコー
ド接続装置。
【請求項４】
前記面取り部が、各端子挿通孔の表面側周縁の互いに対向する部分を斜めに押圧変形さ
せて傾斜面状に形成されていることを特徴とする請求項２に記載のコード接続装置。
【請求項５】
前記面取り部が、各端子挿通孔の内側面の互いに対向する部分に貫設した凹溝によって
該各端子挿通孔の内側面に凹状に形成されていることを特徴とする請求項２に記載のコー
ド接続装置。
【請求項６】
前記基板の裏面側からスリットを通って該基板の表面よりも突出する仕切板が設けられ
ていることを特徴とする請求項２〜５のいずれかに記載のコード接続装置。
【発明の詳細な説明】
【技術分野】
【０００１】
本発明は、例えばディスク装置（ＤＶＤプレーヤやＤＶＤレコーダなど）に用いられれ
るコード接続装置であって、コードのショート事故を防ぐものである。
【背景技術】
【０００２】
ディスク装置の一例として図７に示すものがある。これは、底板部１Ａ、天板部１Ｂ及
び前板部１Ｃからなる筐体１内に、ＤＶＤ機器２と、該ＤＶＤ機器２を制御するための電
子機器（図示せず）を搭載した基板３と、該基板３上の電子機器に通電するためのＡＣ用
コード４とが設けられている。
【０００３】
前記ＤＶＤ機器２は、ディスクＤ載置用トレイ６を前後進ａ，ｂ可能に支持するメイン
シャーシ７と該メインシャーシ７に上下動可能に枢支されたリバースシャーシ（図示せず
）に搭載した光ピックアップ８及びターンテーブル９とを有し、該ターンテーブル９に対
向してメインシャーシ７に架設した横桁１０にクランパ１１が一定範囲内上下動可能に配
置されている。なお、１２は筐体１の前板部１Ｃに形成したディスク取出口である。
【０００４】
ディスク装置の操作手順を説明すると、図７（ａ）（ｂ）に実線で示すプレイモードで
は、ディスクＤがクランパ１１とターンテーブル９とでクランプされ、該ターンテーブル
９によりディスクＤが高速回転され、そのディスクＤに記録されている情報が光ピックア
ップ８により読み取られ、例えばその読み取った情報に基づく映像がモニターに再生され
る。
【０００５】
前記コード４は、図８及び図９に示すように、多数のワイヤ１４ａからなる一対の導線
１４を絶縁材１５で被覆したものである。
【０００６】
従来、前記基板３には、図８及び図９に示すように、一対の円形状端子挿通孔１６が所
定間隔Ｌをおいて貫設されており、前記コード４の絶縁材１５から露出する両導線１４の
端子１４Ａを各端子挿通孔１６にそれぞれ挿通し、該各端子１４Ａを基板３の裏面に印刷
したプリント配線のランド１７に半田付け１８し、そのコード４付き基板３を筐体１の底
板部１Ａ上にビス１９止めしている〔図７（ａ）参照〕。なお、本発明に関連する技術と
して特許文献１に記載したものがある。
【特許文献１】特開平１０−１２６０２５号公報
【発明の開示】
【発明が解決しようとする課題】
【０００７】
上記従来の構成では、ユーザの要望に基づいて基板３が小型化されることにより、両端
子挿通孔１６間の間隔Ｌが狭められており、また、コード４付き基板３を筐体１内にビス
１９止めしたりしてディスク装置の組立作業を行う際に、コード４が引っ張られたり捩じ
られたりして、該コード４の根元部分に過大な負荷Ｆがかかることにより、図８（ａ）の
拡大図に示すように、各端子挿通孔１６の表面側周縁の直角状角部２０に各端子１４Ａが
擦りつけられ、その角部２０により各端子１４Ａのワイヤ１４ａが切断されることがあり
（仮想線参照）、その切断されたワイヤ１４ａどうしでショート事故を起こすおそれがあ
る。
【０００８】
本発明は、上記従来の欠点に鑑み、コードのショート事故を防ぐようにしたコード接続
装置を提供することを目的としている。
【課題を解決するための手段】
【０００９】
上記目的を達成するため、請求項１に記載の発明は、筐体内にＤＶＤ機器と、該ＤＶＤ
機器を制御するための電子機器を搭載した基板と、該基板上の電子機器に通電するための
コードとを有し、該コードが多数のワイヤからなる一対の導線を絶縁材で被覆したものか
らなり、前記基板に一対の円形状端子挿通孔が所定間隔をおいて貫設されており、前記コ
ードの絶縁材から露出する両導線の端子を前記各端子挿通孔にそれぞれ挿通し、該各端子
を基板の裏面のランドに半田付けするようにしたコード接続装置であって、前記基板の両
端子挿通孔間に該両端子挿通孔を分断するようにスリットが形成され、前記筐体の底板部
に一体突設した仕切板が基板の裏面側からスリットを通って該基板の表面よりも上方に突
出され、前記各端子挿通孔の内側面の互いに対向する部分に凹溝を貫設することにより、
その凹溝によって各端子挿通孔の表面側周縁に凹状面取り部が形成されていることを特徴
としている。
【００１０】
請求項２に記載の発明は、多数のワイヤからなる一対の導線を絶縁材で被覆したコード
と、一対の円形状端子挿通孔を所定間隔をおいて貫設した基板とを有し、前記コードの絶
縁材から露出する両導線の端子を前記各端子挿通孔にそれぞれ挿通し、該各端子を基板の
裏面のランドに半田付けするようにしたコード接続装置であって、前記基板の両端子挿通
孔間に該両端子挿通孔を分断するようにスリットが形成され、前記各端子挿通孔の表面側
周縁に面取り部が形成されていることを特徴としている。
【００１１】
請求項３に記載の発明は、請求項２に記載の発明において、前記面取り部が、各端子挿
通孔の表面側周縁をその全周にわたって斜めに削除するか斜めに押圧変形させてテーパ面
状に形成されていることを特徴としている。
【００１２】
請求項４に記載の発明は、請求項２に記載の発明において、前記面取り部が、各端子挿
通孔の表面側周縁の互いに対向する部分を斜めに押圧変形させて傾斜面状に形成されてい
ることを特徴としている。
【００１３】
請求項５に記載の発明は、請求項２に記載の発明において、前記面取り部が、各端子挿
通孔の内側面の互いに対向する部分に貫設した凹溝によって該各端子挿通孔の内側面に凹
状に形成されていることを特徴としている。
【００１４】
請求項６に記載の発明は、請求項２〜５のいずれかに記載の発明において、前記基板の
裏面側からスリットを通って該基板の表面よりも突出する仕切板が設けられていることを
特徴としている。
【発明の効果】
【００１５】
請求項１に記載の発明は第３、第４の実施の形態（図４〜図６参照）に対応するもので
あって、これによれば、基板の両端子挿通孔間を分断するようにスリットが形成されてい
るので、ユーザの要望に基づいて基板が小型化されることに対応して、ショート事故が生
じないように両端子挿通孔間の沿面距離を大きくとることができる。
【００１６】
また、コードの端子に接触する各端子挿通孔の表面側周縁の互いに対向する部分に凹状
面取り部が形成されているから、その凹状面取り部に端子が押し付けられたり接近するだ
けであり、その端子のワイヤが従来のように切断されることがなく、ワイヤ切断によるシ
ョート事故を確実に防ぐことができる。
【００１７】
特に、各端子挿通孔の内側面の互いに対向する部分に凹溝を貫設するだけで、前記凹状
面取り部を簡単に成形することができ、その成形費が安くつく。
【００１８】
更に、例え各端子のワイヤが切断されたとしても、その切断されたワイヤが仕切板で遮
断されるので、ワイヤ切断によるショート事故を一層確実に防ぐことができる。
【００１９】
要するに、ワイヤのショート事故を確実に防ぐことができるようにした実用的なＤＶＤ
プレーヤやＤＶＤレコーダを提供することができる。
【００２０】
請求項２に記載の発明は基本形態に対応するものであって、これによれば、基板の両端
子挿通孔間を分断するようにスリットが形成されているので、ユーザの要望に基づいて基
板が小型化されることに対応して、ショート事故が生じないように両端子挿通孔間の沿面
距離を大きくとることができる。
【００２１】
また、コード付き基板の組立作業を行う際に、コードが引っ張られたり捩じられたりし
て、該コードの根元部分に過大な負荷がかかることにより、そのコードの端子が各端子挿
通孔の表面側周縁に擦りつけられても、その表面側周縁の面取り部に各端子のワイヤが押
しつけられたり接近するだけであり、その端子のワイヤが従来のように切断されることが
なく、ワイヤ切断によるショート事故を確実に防ぐことができる。
【００２２】
請求項３に記載の発明は第１の実施の形態（図１及び図２参照）に対応するものであっ
て、これによれば、各端子挿通孔の表面側周縁のどの部分にコードの端子が擦りつけられ
ても、その表面側周縁の全周にわたって形成したテーパ面状面取り部に各端子のワイヤが
押しつけられたり接近するだけであり、その端子のワイヤが従来のように切断されること
がなく、ワイヤ切断によるショート事故を確実に防ぐことができる。
【００２３】
請求項４に記載の発明は第２の実施の形態（図３参照）に対応するものであって、これ
によれば、コードの端子に接触する各端子挿通孔の表面側周縁の互いに対向する部分に傾
斜面状面取り部が形成されているので、その傾斜面状面取り部に端子が押しつけられたり
接近するだけであり、その端子のワイヤが従来のように切断されることがなく、ワイヤ切
断によるショート事故を確実に防ぐことができる。
【００２４】
特に、前記傾斜面状面取り部が小さいから、プレスで基板に各端子挿通孔を貫設すると
同時に、そのプレスで各端子挿通孔の表面側周縁を部分的に押圧変形させるだけで、その
傾斜面状面取り部を簡単に成形することができ、その成形費が安くつく。
【００２５】
請求項５に記載の発明は第３の実施の形態（図４及び図５参照）に対応するものであっ
て、これによれば、コードの端子に接触する各端子挿通孔の表面側周縁の互いに対向する
部分に凹状面取り部が形成されているから、その凹状面取り部に端子が押し付けられたり
接近するだけであり、その端子のワイヤが従来のように切断されることがなく、ワイヤ切
断によるショート事故を確実に防ぐことができる。
【００２６】
特に、各端子挿通孔の内側面の互いに対向する部分に凹溝を貫設するだけで、前記凹状
面取り部を簡単に成形することができ、その成形費が安くつく。
【００２７】
請求項６に記載の発明は第４の実施の形態（図６参照）に対応するものであって、これ
によれば、例え各端子のワイヤが切断されたとしても、その切断されたワイヤが仕切板で
遮断されるので、ワイヤ切断によるショート事故を一層確実に防ぐことができる。
【発明を実施するための最良の形態】
【００２８】
図１及び図２は本発明の第１の実施の形態のディスク装置（図７参照）に用いられるコ
ード接続装置を示すものであって、基板３の両端子挿通孔１６間に該両端子挿通孔１６を
分断するようにスリット２２が形成され、前記各端子挿通孔１６の表面側周縁をその全周
にわたって斜めに削除するか斜めに押圧変形させてテーパ面状面取り部２３が形成されて
いる。上記以外の構成は図７〜図９に示す構成とほぼ同じであるから、同一部分に同一符
号を付してその説明を省略する。
【００２９】
前記テーパ面状面取り部２３の製作手順を説明すると、各端子挿通孔１６をドリルで孔
明け加工を施すと同時に、そのドリルの根元部に一体形成したテーパ面状大径刃部で各端
子挿通孔１６の表面側周縁を切削して、テーパ面状面取り部２３を形成したり、または、
各端子挿通孔１６をプレスで孔明け加工を施すと同時に、そのプレスに一体形成したテー
パ面状突起部で各端子挿通孔１６の表面側周縁を押圧変形させて、テーパ面状面取り部２
３を形成する。
【００３０】
上記構成によれば、基板３の両端子挿通孔１６間を分断するようにスリット２２が形成
されているので、ユーザの要望に基づいて基板３が小型化されることに対応して、ショー
ト事故が生じないように両端子挿通孔１６間の沿面距離を大きくとることができる。
【００３１】
また、コード４付き基板３の組立作業を行う際に、コード４が引っ張られたり捩じられ
たりして、該コード４の根元部分に過大な負荷Ｆがかかることにより、そのコード４の端
子１４Ａが各端子挿通孔１６の表面側周縁のどの部分に擦りつけられても、その表面側周
縁の全周にわたって形成したテーパ面状面取り部２３面に各端子１４Ａのワイヤ１４ａが
押しつけられたり接近するだけであり、そのワイヤ１４ａが従来のように切断されること
がなく、ワイヤ切断によるショート事故を確実に防ぐことができる。
【００３２】
図３は本発明の第２の実施の形態のディスク装置（図７参照）に用いられるコード接続
装置を示すものであって、各端子挿通孔１６の表面側周縁の互いに対向する部分を斜めに
押圧変形させて傾斜面状面取り部２４が形成されている。上記以外の構成は第１の実施の
形態（図１及び図２参照）とほぼ同じであるから、同一部分に同一符号を付してその説明
を省略する。
【００３３】
上記構成によれば、コード４の端子１４Ａに接触する各端子挿通孔１６の表面側周縁の
互いに対向する部分に傾斜面状面取り部２４が形成されているので、その傾斜面状面取り
部２４に端子１４Ａが押しつけられたり接近するだけであり、その端子１４Ａのワイヤ１
４ａが従来のように切断されることがなく、ワイヤ切断によるショート事故を確実に防ぐ
ことができる。
【００３４】
特に、前記傾斜面状面取り部２４が小さいから、プレスで基板３に各端子挿通孔１６を
貫設すると同時に、そのプレスで各端子挿通孔１６の表面側周縁を部分的に押圧変形させ
るだけで、その傾斜面状面取り部２４を簡単に成形することができ、その成形費が安くつ
く。
【００３５】
図４及び図５は本発明の第３の実施の形態のディスク装置（図７参照）に用いられるコ
ード接続装置を示すものであって、各端子挿通孔１６の内側面の互いに対向する部分に半
円状凹溝２５を貫設することにより、各端子挿通孔１６の表面側周縁の互いに対向する部
分に凹状面取り部２５ａが形成されている。上記以外の構成は第１の実施の形態（図１及
び図２参照）とほぼ同じであるから、同一部分に同一符号を付してその説明を省略する。
【００３６】
前記凹状面取り部２５ａの内径ｈは各端子挿通孔１６の内径Ｈの０．５〜０．８倍（好
ましくは０．６〜０．７倍）に設定される。その内径ｈが内径Ｈの０．５倍未満の場合に
は、凹状面取り部２５ａが小さくなり過ぎるため、コード４付き基板３の組立作業を行う
際に発生する過大な負荷Ｆで端子１４Ａが凹状面取り部２５ａに擦りつけられてワイヤ１
４ａが切断されるおそれがある。また、その内径ｈが内径Ｈの０．８倍を超える場合には
、端子１４Ａが凹溝２５内に入り込んで位置ずれするおそれがある。そこで、この実施の
形態では、内径ｈを内径Ｈの０．５〜０．８倍（好ましくは０．６〜０．７倍）に設定す
ることにより、ワイヤ１４ａが切断されないようにすると共に、端子１４Ａを端子挿通孔
１６内に保持されるようにしている。具体的寸法の一例を示すと、端子挿通孔１６の内径
Ｈが３ｍｍ、凹状面取り部２５ａの内径ｈが２ｍｍである。
【００３７】
上記構成によれば、コード４の端子１４Ａに接触する各端子挿通孔１６の表面側周縁の
互いに対向する部分に凹状面取り部２５ａが形成されているから、その凹状面取り部２５
ａに端子１４Ａが押し付けられたり接近するだけであり、その端子１４Ａのワイヤ１４ａ
が従来のように切断されることがなく、ワイヤ切断によるショート事故を確実に防ぐこと
ができる。
【００３８】
特に、各端子挿通孔１６の内側面の互いに対向する部分に凹溝２５を貫設するだけで、
前記凹状面取り部２５ａに成形することができ、その成形費が安くつく。
【００３９】
前述した第１〜第３の実施の形態では、両端子挿通孔１６間の沿面距離を大きくとるた
めに基板３にスリット２２を形成したが、これに加えて、図６に示すように、筐体１の底
板部１Ａに一体突設した仕切板２６を基板３の裏面側からスリット２２を通って該基板３
の表面よりも上方に突出させてもよい（第４の実施の形態）。
【００４０】
上記構成によれば、例え各端子１４Ａのワイヤ１４ａが切断されたとしても、その切断
されたワイヤ１４ａが仕切板２６で遮断されるので、ワイヤ切断によるショート事故を一
層確実に防ぐことができる。
【図面の簡単な説明】
【００４１】
【図１】（ａ）は本発明の第１の実施の形態であるコード接続装置の要部拡大縦断面図、（ｂ）はＡ−Ａ矢視図である。
【図２】同分解斜視図である。
【図３】（ａ）は本発明の第２の実施の形態であるコード接続装置の要部拡大縦断面図、（ｂ）は同分解斜視図である。
【図４】（ａ）は本発明の第３の実施の形態であるコード接続装置の要部拡大縦断面図、（ｂ）はＢ−Ｂ矢視図である。
【図５】同分解斜視図である。
【図６】（ａ）は本発明の第４の実施の形態であるコード接続装置の要部拡大縦断面図、（ｂ）はＣ−Ｃ矢視図である。
【図７】（ａ）はディスク装置の一部切欠き平面図、（ｂ）は同一部切欠き側面図である。
【図８】（ａ）は従来例を示す要部拡大縦断面図、（ｂ）はＤ−Ｄ矢視図である。
【図９】同分解斜視図である。
【符号の説明】
【００４２】
１        筐体
２        ＤＶＤ機器
３        基板
４        コード
１４      導線
１４Ａ    導線の端子
１４ａ    ワイヤ
１５      絶縁材
１６      端子挿通孔
１７      ランド
１８      半田付け
２３      テーパ面状面取り部
２４      傾斜面状面取り部
２５      凹溝
２５ａ    凹状面取り部
２６      仕切板
【図１】
2007317426.tif 000003
【図２】
2007317426.tif 000004
【図３】
2007317426.tif 000005
【図４】
2007317426.tif 000006
【図５】
2007317426.tif 000007
【図６】
2007317426.tif 000008
【図７】
2007317426.tif 000009
【図８】
2007317426.tif 000010
【図９】
2007317426.tif 000011